(57)【特許請求の範囲】
【請求項１】
火災検知信号の受信時に移報信号を出力する自動火災報知設備と、
前記自動火災報知設備に接続され、前記移報信号を受信していない時は所定の電圧の点滅停止信号電圧を出力し、前記移報信号の受信時には前記点滅停止信号電圧よりも十分に低い電圧の点滅信号電圧を出力する誘導灯用信号装置と、
前記誘導灯用信号装置に接続され、前記点滅停止信号電圧の受信時には消灯し、前記点滅信号電圧の受信時には点滅発光する点滅装置を含む誘導灯装置と、を備え、
前記自動火災報知設備、前記誘導灯用信号装置及び前記誘導灯装置のそれぞれは、非常時に商用電源のバックアップを行う蓄電池を備え、
前記誘導灯装置は、受信電圧の変化を検出し、該受信電圧が前記点滅停止信号電圧から前記点滅信号電圧に変化したときに、そのときの前記受信電圧の変化が一気に変化していると判断した場合は、前記点滅装置を点滅発光させ、そのときまでの前記受信電圧の変化が前記点滅停止信号電圧から徐々に低下して前記点滅信号電圧に変化していると判断した場合は、前記点滅装置の消灯状態を維持することを特徴とする、避難誘導システム。
【請求項２】
前記誘導灯装置は、
定期的に前記受信電圧の変化の傾きを検出する、
ことを特徴とする請求項１に記載の避難誘導システム。
【発明の詳細な説明】
【技術分野】
【０００１】
この発明は、火災などの災害発生時に建物内から人を出口に安全に誘導するために用いられる避難誘導システムに関する。
【背景技術】
【０００２】
従来より、非常口の場所や避難経路等を表示する避難誘導システムが広く一般に普及している。このような避難誘導システムでは、常時において、商用電源からＡＣ電源を得るとともに、そのＡＣ電源により蓄電池を充電している。そして、ＡＣ電源からの電力供給が受けられない非常時（火災発生時）には、その蓄電池からＤＣ電源をシステムに供給している。
【０００３】
避難誘導システムは、一般には、外部からの火災検知信号受信時に火災発生や避難誘導を示す移報信号を出力する自動火災報知設備と、前記自動火災報知設備に接続され、前記移報信号を受信していない時は所定の電圧の点滅停止信号電圧を出力し、前記移報信号の受信時には０Ｖ等、点滅停止信号電圧に比して十分に低い電圧の点滅信号電圧を出力する誘導灯用信号装置と、前記誘導灯用信号装置に接続され、前記所定の電圧の点滅停止信号電圧の受信時には消灯し、前記点滅信号電圧の受信時には点滅発光する点滅装置を含む誘導灯装置と、を備えている。
【０００４】
上記システムでは、自動火災報知設備と誘導灯用信号装置とは、常時には商用電源で駆動されるが、火災などにより商用電源の供給が停止した非常時には蓄電池で駆動されるようになっている。また、蓄電池は、常時においてトリクル充電されるようになっていて、常に満充電状態にされている。
【０００５】
しかし、強制的に商用電源をオフするメンテナンス時などの停電時においては、誘導灯用信号装置は蓄電池で動作をする。そこで、もし停電時間が長くなるなど蓄電池による動作時間が長くなると、蓄電池の電圧が徐々に低下してきて、誘導灯用信号装置の出力電圧も低下する。そして、出力電圧が０Ｖ等の点滅信号電圧まで低下すると、誘導灯装置が火災発生と誤判断して点滅発光する。すなわち、火災などが発生していないのに、点滅発光することになる。
【０００６】
このような不具合を解決するため、煙感知器連動端子を使用する（特許文献１）システムが提案されている。
【先行技術文献】
【特許文献】
【０００７】
【特許文献１】特開２００２−３５２３３７号公報
【発明の概要】
【発明が解決しようとする課題】
【０００８】
しかし、上記の先行例の構造では、点滅発光を防ぐために事前にスイッチ操作をする必要があるため、意図しない停電発生時には誘導灯装置が点滅発光してしまう。又は、煙感知器連動端子への配線が必要になるため高コストになる問題があった。
【０００９】
この発明の目的は、停電時において蓄電池の電圧低下に起因する誘導灯装置の誤点滅動作を自動的に禁止する制御を行うようにして、低コストで特別な操作も不要な避難誘導システムを提供することにある。
【課題を解決するための手段】
【００１０】
この発明の避難誘導システムは、
火災検知信号の受信時に移報信号を出力する自動火災報知設備と、
前記自動火災報知設備に接続され、前記移報信号を受信していない時は所定の電圧の点滅停止信号電圧を出力し、前記移報信号の受信時には前記点滅停止信号電圧よりも十分に低い電圧の点滅信号電圧を出力する誘導灯用信号装置と、
前記誘導灯用信号装置に接続され、前記点滅停止信号電圧の受信時には消灯し、前記点滅信号電圧の受信時には点滅発光する点滅装置を含む誘導灯装置と、を備え、
前記自動火災報知設備、前記誘導灯用信号装置及び前記誘導灯装置のそれぞれは、非常時に商用電源のバックアップを行う蓄電池を備え、
前記誘導灯装置は、受信電圧の変化を検出し、該受信電圧が前記点滅停止信号電圧から前記点滅信号電圧に変化したときに、そのときの前記受信電圧の変化が一気に変化していると判断した場合は、前記点滅装置を点滅発光させ、そのときまでの前記受信電圧の変化が前記点滅停止信号電圧から徐々に低下して前記点滅信号電圧に変化していると判断した場合は、前記点滅装置の消灯状態を維持することを特徴とする。
【００１１】
外部からの火災検知信号は、建物の所定の箇所に設置されている火災報知器から発せられる。自動火災報知設備は、上記火災検知信号を一つでも受信すると、火災発生や避難誘導を示す移報信号を誘導灯用信号装置に出力する。誘導灯用信号装置は常時所定の電圧（点滅停止信号電圧）を誘導灯装置に出力しているが、前記移報信号を受信すると点滅停止信号電圧に比して十分に低い電圧（０Ｖ等）の点滅信号電圧を誘導灯装置に出力する。
【００１２】
誘導灯装置は、０Ｖ等の点滅信号電圧を受信すると内蔵の点滅装置を点滅発光させる。
【００１３】
ここで、前記誘導灯装置は、受信電圧の変化を常時検出していて、該受信電圧が前記所定の電圧の点滅停止信号電圧から０Ｖ等の点滅信号電圧に一気に変化した場合は、火災発生とみなして前記点滅装置を点滅発光させ、該受信電圧が前記点滅停止信号電圧から徐々に低下して０Ｖ等の点滅信号電圧に変化した場合は、停電とみなして前記点滅装置の消灯状態を維持する。蓄電池は放電時の電圧が徐々に低下するため、点検時などにおいて、誘導灯用信号装置が蓄電池を電源として作動しているときは、蓄電池の電圧の低下が緩やかである。このため、停電時においては、誘導灯用信号装置の蓄電池の電圧が０Ｖ等の点滅信号電圧まで放電しても、停電とみなして前記点滅装置は消灯状態を維持する。
【発明の効果】
【００１４】
この発明では、蓄電池の放電特性が徐々に下降することを利用して、誘導灯用信号装置からの出力が０Ｖ等の点滅信号電圧になった原因が、火災発生によるものなのか停電によるものなのかを判断するようにしているため、メンテナンス時に誘導灯装置のバックアップ用の蓄電池を外す作業が不要で、また、煙感知器連動端子への配線や、煙感知器連動システムが利用できなくなる問題も発生しない。そして、誘導灯用信号装置の点検作業が容易に行え、また、意図しない停電発生時に、誘導灯装置の誤発光を防ぐことが可能になる。
【図面の簡単な説明】
【００１５】
【図１】この発明の実施形態の避難誘導システムのブロック図である。
【図２】誘導灯用信号装置の出力電圧変化を示す図である。
【図３】点滅型誘導灯装置５における制御部の点滅有無判定フローを示す図である。
【発明を実施するための形態】
【００１６】
図１は、この発明の実施形態の避難誘導システムのブロック図である。
【００１７】
火災報知器１は、建物の複数個所に設置されており、いずれかの火災報知器で火災を検知すると火災検知信号を自動火災報知設備２に出力する。自動火災報知設備２は、商用電源から分岐した１００Ｖの防災システム用専用電源３で作動し、火災検知信号を受信すると移報信号（火災発生・避難誘導信号）を誘導灯用信号装置４に出力する。誘導灯用信号装置４は、移報信号を受信すると複数の点滅型誘導灯装置５に点滅信号電圧を出力する。点滅型誘導灯装置５は、内部に点滅装置を備え、点滅信号電圧を受信すると点滅装置を点滅発光させる。点滅信号電圧はこの実施形態では０Ｖとしている。なお、誘導灯用信号装置４は、移報信号を受信していない時はＤＣ２４Ｖの点滅停止信号電圧を出力し、点滅型誘導灯装置５は、ＤＣ２４Ｖの点滅停止信号電圧を受信しているとき点滅装置を消灯状態としている。
【００１８】
点滅信号電圧はこの実施形態では０Ｖとしているが、ＤＣ２４Ｖの点滅停止信号電圧に比して十分に低い電圧あれば良い。
【００１９】
前記自動火災報知設備２、誘導灯用信号装置４、点滅型誘導灯装置５は、常時は商用電源から分岐した防災システム用専用電源３で作動し、また、これらは内部にトリクル充電されている蓄電池（二次電池）２０、４０、５０を備えていて、停電時にはこの蓄電池で作動するようになっている。
【００２０】
誘導灯用信号装置４からの出力は、常時はＤＣ２４Ｖの所定の電圧に設定されており、火災発生時に０Ｖとなる。この０Ｖが点滅信号電圧となる。
【００２１】
また、誘導灯用信号装置４は、常時は１００Ｖの防災システム用専用電源３で作動し、出力をＤＣ２４Ｖに設定するが、停電時では蓄電池で作動するため、停電時間が長くなるに従ってＤＣ２４Ｖが低下していき、最後には０Ｖまで低下する。従来では、火災が発生していないにもかかわらず、０Ｖ等の点滅信号電圧まで低下すると、点滅型誘導灯装置５は点滅信号と誤判断してしまい、誘導灯を点滅発光させるが、本実施形態では、以下のように作動することで、上記誤判断を避ける。
【００２２】
図２は、誘導灯用信号装置４の出力電圧変化を示している。
【００２３】
同図（Ａ）は、１００Ｖの防災システム用専用電源３で作動している状態で移報信号を受信したときの変化を示し、同図（Ｂ）は、蓄電池で作動している時の誘導灯用信号装置４の出力電圧変化を示している。
【００２４】
図２（Ａ）に示すようにタイミングｔ０で火災検知信号が自動火災報知設備２に入力すると、自動火災報知設備２から誘導灯用信号装置４に移報信号が出力され、誘導灯用信号装置４からの出力電圧は、所定の電圧であるＤＣ２４Ｖから０Ｖに低下する。これにより、各点滅型誘導灯装置５は点滅発光をする。
【００２５】
一方、図２（Ｂ）に示すように、停電が発生すると、誘導灯用信号装置４の蓄電池４０の放電特性は一定の時間（例えば２０分程度）ＤＣ２４Ｖの点滅停止信号電圧を維持するが、その後徐々に低下していく。そして、そのまま停電状態が復帰しないと、ＤＣ２４Ｖが点滅信号電圧である０Ｖとなる。
【００２６】
しかし、本実施形態のシステムでは、点滅型誘導灯装置５において、誘導灯用信号装置４からの受信電圧の変化の傾き（ｄＶ／ｄｔ）を検出し、この傾き（ｄＶ／ｄｔ）に基づいて０Ｖになった原因が、火災によるものなのか停電によるものなのかを判定している。すなわち、図２（Ａ）のように傾き（ｄＶ／ｄｔ）が大きい場合は、０Ｖに変化した原因が火災によるものであり、図２（Ｂ）のように傾き（ｄＶ／ｄｔ）が小さい場合は、０Ｖに変化した原因が停電によるものだと判定する。そして、前者の場合は、点滅型誘導灯装置５は火災発生と判断して点滅装置を点滅発光させるが、後者の場合は、停電と判断しての消灯状態を維持する。
【００２７】
図３は、点滅型誘導灯装置５における制御部の点滅有無判定フローを示す。
【００２８】
点滅型誘導灯装置５の制御部は入力電圧Ｖを監視しており、入力電圧Ｖが０Ｖになると、そのときの変化の傾き（ｄＶ／ｄｔ）、及び０Ｖになったときまでの傾き（ｄＶ／ｄｔ）が一定の大きさｋ以上かどうかを判定する。０Ｖになったときの傾き（ｄＶ／ｄｔ）がｋ以上であれば、０Ｖになった原因が火災発生と判定して誘導灯を点滅発光させる。また、０Ｖになったときまでの傾き（ｄＶ／ｄｔ）がｋ未満で推移していれば、Ｖになった原因が停電によるものと判定して、消灯を維持する。
【００２９】
このような制御で、停電時に誘導灯が点滅発光するのを防止する。
【符号の説明】
【００３０】
１−火災報知器
２−自動火災報知設備
４−誘導灯用信号装置
５−点滅型誘導灯装置
【図１】
0006472028.tif 000002
【図２】
0006472028.tif 000003
【図３】
0006472028.tif 000004